(57)【特許請求の範囲】
【請求項１】
建物の屋根に施工される瓦のうち、所定範囲を切断して施工される切断瓦の実寸を算出するために、コンピュータに、
所定の記憶手段から屋根伏せＣＡＤデータを読み込む手順と、
入力装置から入力された屋根伏せＣＡＤデータの縮尺に基づいて屋根伏せＣＡＤデータを実寸スケールに補正し、屋根伏せ補正ＣＡＤデータを作成する手順と、
屋根伏せ補正ＣＡＤデータを表示装置の画面上に表示する手順と、
ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、
瓦施工面補正ルール及び入力装置から入力された屋根勾配に基づいて屋根伏せ補正ＣＡＤデータを補正し、瓦施工面ＣＡＤデータを作成する手順と、
ファイル装置にあらかじめ記録された割り付けルールファイルから、瓦の種類及び入力装置から入力された割り付け型に応じた割り付けルールを読み出す手順と、
ファイル装置にあらかじめ記録された瓦ＣＡＤデータファイルから瓦の種類及び割り付け型に応じた瓦ＣＡＤデータを読み出す手順と、
瓦ＣＡＤデータを割り付けルールに基づいて瓦施工面ＣＡＤデータに割り付ける手順と、
瓦施工面ＣＡＤデータの要素線と交差する切断瓦としての瓦ＣＡＤデータに割り付けルールに基づいて切断瓦番号を付与する手順と、
ファイル装置にあらかじめ記録された実寸算出ルールファイルから瓦の種類に応じた実寸算出ルールを読み出す手順と、
実寸算出ルールに基づいて各切断瓦ごとに実寸データを算出する手順と、
ファイル装置にあらかじめ記録された実寸補正ルールファイルから瓦の種類に応じた実寸補正ルールを読み出す手順と、
実寸補正ルールに基づいて各実寸データをそれぞれ補正し、各切断瓦ごとに実寸補正データを算出する手順と、
実寸補正データを切断瓦に対応付けて瓦屋根積算データテーブルを作成する手順と、
瓦屋根積算データテーブルを出力する手順と、
を実行させるための瓦屋根積算プログラム。
【請求項２】
コンピュータに、切断瓦番号が付与された瓦ＣＡＤデータの瓦施工面ＣＡＤデータ上の位置を計測する手順と、この位置を切断瓦の施工部位として切断瓦に対応付けて瓦屋根積算データテーブルに格納する手順とを実行させることもできる請求項１記載の瓦屋根積算プログラム。
【請求項３】
コンピュータに、切断瓦番号が付与された瓦ＣＡＤデータの形状による種類を切断瓦に対応付けて瓦屋根積算データテーブルに格納する手順を実行させることもできる請求項１又は２記載の瓦屋根積算プログラム。
【請求項４】
コンピュータに、切断瓦番号が付与された瓦ＣＡＤデータの数を集計する手順と、この集計値を切断瓦の数として出力する手順とを実行させることもできる請求項１乃至３のいずれか記載の瓦屋根積算プログラム。
【請求項５】
コンピュータに、切断瓦の数を切断瓦の形状による種類ごとに集計する手順と、各集計値を切断瓦の形状による種類ごとの数としてそれぞれ出力する手順とを実行させることもできる請求項４記載の瓦屋根積算プログラム。
【請求項６】
コンピュータに、切断瓦番号が付与されなかった瓦ＣＡＤデータの数を集計する手順と、この集計値を切断不要瓦の数として出力する手順とを実行させることもできる請求項４又は５記載の瓦屋根積算プログラム。
【請求項７】
コンピュータに、切断不要瓦の数を切断不要瓦の形状による種類ごとに集計する手順と、各集計値を切断不要瓦の形状による種類ごとの数としてそれぞれ出力する手順とを実行させることもできる請求項６記載の瓦屋根積算プログラム。
【請求項８】
コンピュータに、切断瓦の数と切断不要瓦の数とを加算する手順と、この加算値を瓦の使用総量として出力する手順とを実行させることもできる請求項６又は７記載の瓦屋根積算プログラム。
【請求項９】
コンピュータに、瓦の使用総量を瓦の形状による種類ごとに集計する手順と、各集計値を瓦の形状による種類ごとの数としてそれぞれ出力する手順とを実行させることもできる請求項８記載の瓦屋根積算プログラム。
【請求項１０】
コンピュータに、切断瓦の実寸データがあらかじめ設定していた設定値以下のときはその切断瓦の切断瓦番号を削除する手順と、各切断瓦の切断瓦番号をリナンバする手順とを実行させることもできる請求項１乃至９のいずれか記載の瓦屋根積算プログラム。
【請求項１１】
コンピュータに、切断瓦を作製するための瓦切断機を制御する制御装置へ実寸補正データをＣＡＭデータとして転送する手順を実行させることもできる請求項１乃至１０のいずれか記載の瓦屋根積算プログラム。
【請求項１２】
コンピュータに、瓦施工面ＣＡＤデータに含まれている各要素線の長さをそれぞれ算出する手順と、各要素線の長さをそれぞれ出力する手順とを実行させることもできる請求項１乃至１１のいずれか記載の瓦屋根積算プログラム。
【請求項１３】
コンピュータに、ファイル装置にあらかじめ記録された役物瓦算出ルールファイルから、表示装置の画面上に長さがそれぞれ表示された複数の要素線の中から入力装置により選択された要素線、並びに入力装置から入力された役物瓦の少なくとも種類に応じた役物瓦算出ルールを読み出す手順と、役物瓦算出ルール及び選択された要素線の長さに基づいてこの要素線に施工される役物瓦の数を算出する手順と、この役物瓦の数を出力する手順とを実行させることもできる請求項１２記載の瓦屋根積算プログラム。
【請求項１４】
コンピュータに、瓦施工面ＣＡＤデータに含まれている複数の瓦施工面の面積をそれぞれ算出、集計する手順と、瓦施工面の総面積値に基づいて工賃及び／又は副資材の使用量を算出する手順と、この工賃及び／又は副資材の使用量を出力する手順とを実行させることもできる請求項８乃至１３のいずれか記載の瓦屋根積算プログラム。
【請求項１５】
請求項１乃至１４のいずれか記載の瓦屋根積算プログラムを記録したコンピュータ読み取り可能な記録媒体。
【請求項１６】
請求項１乃至１４のいずれか記載の瓦屋根積算プログラムをコンピュータのファイル装置に記録した瓦屋根積算システム。
【発明の詳細な説明】
【０００１】
【発明の属する技術分野】
この発明は、建物の屋根に施工される瓦のうち、所定範囲を切断して屋根の隅棟部等に沿って施工される切断瓦の実寸（実際の寸法）を算出するための瓦屋根積算プログラム、該プログラムを記録したコンピュータ読み取り可能な記録媒体、及び瓦屋根積算システムに関する。
【０００２】
【従来の技術】
周知のように、建物の寄棟屋根等の屋根に瓦を施工する場合、屋根の隅棟部等に施工する瓦に対しては、あらかじめ所定範囲を斜め方向等に切断して切断瓦としておく必要がある。この切断瓦の施工部位における採寸作業や瓦の切断作業は、施工現場でその都度行われている。
【０００３】
【発明が解決しようとする課題】
しかしながら、上記のような採寸作業や切断作業をその都度行えば、手間や時間がかかるため、瓦を効率良く施工することが困難であるという問題点がある。
【０００４】
この発明は、以上のような問題点に鑑みてなされたものであり、瓦を施工する前にあらかじめ切断瓦の実寸を算出できる瓦屋根積算プログラム、該プログラムを記録したコンピュータ読み取り可能な記録媒体、及び瓦屋根積算システムを提供することを目的とする。
【０００５】
【課題を解決するための手段】
上記目的を達成するための請求項１の瓦屋根積算プログラムは、建物の屋根に施工される瓦のうち、所定範囲を切断して施工される切断瓦の実寸を算出するために、コンピュータに、所定の記憶手段から屋根伏せＣＡＤデータを読み込む手順と、入力装置から入力された屋根伏せＣＡＤデータの縮尺に基づいて屋根伏せＣＡＤデータを実寸スケールに補正し、屋根伏せ補正ＣＡＤデータを作成する手順と、屋根伏せ補正ＣＡＤデータを表示装置の画面上に表示する手順と、ファイル装置にあらかじめ記録された瓦施工面補正ルールファイルから、入力装置により屋根伏せ補正ＣＡＤデータにそれぞれ指定された要素線の組合せ及び入力装置から入力された瓦の種類に応じた瓦施工面補正ルールを読み出す手順と、瓦施工面補正ルール及び入力装置から入力された屋根勾配に基づいて屋根伏せ補正ＣＡＤデータを補正し、瓦施工面ＣＡＤデータを作成する手順と、ファイル装置にあらかじめ記録された割り付けルールファイルから、瓦の種類及び入力装置から入力された割り付け型に応じた割り付けルールを読み出す手順と、ファイル装置にあらかじめ記録された瓦ＣＡＤデータファイルから瓦の種類及び割り付け型に応じた瓦ＣＡＤデータを読み出す手順と、瓦ＣＡＤデータを割り付けルールに基づいて瓦施工面ＣＡＤデータに割り付ける手順と、瓦施工面ＣＡＤデータの要素線と交差する切断瓦としての瓦ＣＡＤデータに割り付けルールに基づいて切断瓦番号を付与する手順と、ファイル装置にあらかじめ記録された実寸算出ルールファイルから瓦の種類に応じた実寸算出ルールを読み出す手順と、実寸算出ルールに基づいて各切断瓦ごとに実寸データを算出する手順と、ファイル装置にあらかじめ記録された実寸補正ルールファイルから瓦の種類に応じた実寸補正ルールを読み出す手順と、実寸補正ルールに基づいて各実寸データをそれぞれ補正し、各切断瓦ごとに実寸補正データを算出する手順と、実寸補正データを切断瓦に対応付けて瓦屋根積算データテーブルを作成する手順と、瓦屋根積算データテーブルを出力する手順と、を実行させるためのものである。
【０００６】
請求項２の瓦屋根積算プログラムにおいては、コンピュータに、切断瓦番号が付与された瓦ＣＡＤデータの瓦施工面ＣＡＤデータ上の位置を計測する手順と、この位置を切断瓦の施工部位として切断瓦に対応付けて瓦屋根積算データテーブルに格納する手順とを実行させることもできる。
【０００７】
請求項３の瓦屋根積算プログラムにおいては、コンピュータに、切断瓦番号が付与された瓦ＣＡＤデータの形状による種類を切断瓦に対応付けて瓦屋根積算データテーブルに格納する手順を実行させることもできる。
【０００８】
請求項４の瓦屋根積算プログラムにおいては、コンピュータに、切断瓦番号が付与された瓦ＣＡＤデータの数を集計する手順と、この集計値を切断瓦の数として出力する手順とを実行させることもできる。
【０００９】
請求項５の瓦屋根積算プログラムにおいては、コンピュータに、切断瓦の数を切断瓦の形状による種類ごとに集計する手順と、各集計値を切断瓦の形状による種類ごとの数としてそれぞれ出力する手順とを実行させることもできる。
【００１０】
請求項６の瓦屋根積算プログラムにおいては、コンピュータに、切断瓦番号が付与されなかった瓦ＣＡＤデータの数を集計する手順と、この集計値を切断不要瓦の数として出力する手順とを実行させることもできる。
【００１１】
請求項７の瓦屋根積算プログラムにおいては、コンピュータに、切断不要瓦の数を切断不要瓦の形状による種類ごとに集計する手順と、各集計値を切断不要瓦の形状による種類ごとの数としてそれぞれ出力する手順とを実行させることもできる。
【００１２】
請求項８の瓦屋根積算プログラムによれば、コンピュータに、切断瓦の数と切断不要瓦の数とを加算する手順と、この加算値を瓦の使用総量として出力する手順とを実行させることもできる。
【００１３】
請求項９の瓦屋根積算プログラムにおいては、コンピュータに、瓦の使用総量を瓦の形状による種類ごとに集計する手順と、各集計値を瓦の形状による種類ごとの数としてそれぞれ出力する手順とを実行させることもできる。
【００１４】
請求項１０の瓦屋根積算プログラムにおいては、コンピュータに、切断瓦の実寸データがあらかじめ設定していた設定値以下のときはその切断瓦の切断瓦番号を削除する手順と、各切断瓦の切断瓦番号をリナンバする手順とを実行させることもできる。
【００１５】
請求項１１の瓦屋根積算プログラムにおいては、コンピュータに、切断瓦を作製するための瓦切断機を制御する制御装置へ実寸補正データをＣＡＭデータとして転送する手順を実行させることもできる。
【００１６】
請求項１２の瓦屋根積算プログラムにおいては、コンピュータに、瓦施工面ＣＡＤデータに含まれている各要素線の長さをそれぞれ算出する手順と、各要素線の長さをそれぞれ出力する手順とを実行させることもできる。
【００１７】
請求項１３の瓦屋根積算プログラムにおいては、コンピュータに、ファイル装置にあらかじめ記録された役物瓦算出ルールファイルから、表示装置の画面上に長さがそれぞれ表示された複数の要素線の中から入力装置により選択された要素線、並びに入力装置から入力された役物瓦の少なくとも種類に応じた役物瓦算出ルールを読み出す手順と、役物瓦算出ルール及び選択された要素線の長さに基づいてこの要素線に施工される役物瓦の数を算出する手順と、この役物瓦の数を出力する手順とを実行させることもできる。
【００１８】
請求項１４の瓦屋根積算プログラムにおいては、コンピュータに、瓦施工面ＣＡＤデータに含まれている複数の瓦施工面の面積をそれぞれ算出、集計する手順と、瓦施工面の総面積値に基づいて工賃及び／又は副資材の使用量を算出する手順と、この工賃及び／又は副資材の使用量を出力する手順とを実行させることもできる。
【００１９】
また、請求項１５のコンピュータ読み取り可能な記録媒体は、請求項１乃至１４のいずれか記載の瓦屋根積算プログラムを記録したものである。
【００２０】
更に、請求項１６の瓦屋根積算システムは、請求項１乃至１４のいずれか記載の瓦屋根積算プログラムをコンピュータのファイル装置に記録したものである。
【００２１】
【発明の実施の形態】
以下、この発明の実施形態を図面に基づいて説明する。
図１に示すように、この実施形態に係る瓦屋根積算システムは、瓦屋根積算プログラム１をコンピュータのファイル装置２に記録（インストール）したものである。
【００２２】
コンピュータは、ハードディスクドライブ等のファイル装置２の他、ＣＰＵ（Central Processing Unit，中央処理装置）３、メインメモリ４、キーボードやマウス等の入力装置５、及びディスプレイ等の表示装置６等を備えており、これらＣＰＵ３等はコンピュータのシステムバス７にそれぞれ接続されている。また、システムバス７には、必要に応じて、レーザープリンタやインクジェットプリンタ等の印刷装置８や、切断瓦を作製するための瓦切断機を制御する制御装置（図示せず）も接続されている。なお、制御装置は、ＲＳ−２３２Ｃケーブル等の通信ケーブル及びインターフェイスを介してシステムバス７と接続することができる。
【００２３】
瓦屋根積算プログラム（ソフトウェア）１は、制御プログラム９、瓦施工面補正ルールファイル１０、割り付けルールファイル１１、瓦ＣＡＤデータファイル１２、実寸算出ルールファイル１３、及び実寸補正ルールファイル１４等を備えており、ファイル装置２にあらかじめ記録されている。この瓦屋根積算プログラム１をコンピュータ上で起動させれば、制御プログラム９がメインメモリ４上に読み込まれ、この制御プログラム９の指令によってＣＰＵ３が各ファイル１０，１１，１２，１３，１４等から適用すべきルールやデータを検索し、メインメモリ４上に読み出す等して各種の処理を実行するようになっている。
【００２４】
瓦屋根積算プログラム１による処理を詳細に説明する前に、まず、図２及び図３のようなＦ形瓦（瓦）１５を例にとり、瓦を実際に建物の屋根１６に施工する場合の施工例について説明する。
【００２５】
Ｆ形瓦１５は、平面視が四角形の本体部１７と、この本体部１７の左側の側端に突設された平面視が長方形のアンダーラップ部１８とから構成されている。このようなＦ形瓦１５は、図４乃至図６に示すように、屋根１６の下方側かつ右側から順に千鳥状（一文字葺）に施工されるのが一般的である。横方向においては、本体部１７が互いに隣接するように配置される。上下方向においては、下段のＦ形瓦１５の上端にその上段のＦ形瓦１５の下端が数十ｍｍの重ね代をとって重ねるように載置される。最下段のＦ形瓦１５の下端は、野地板１９上にアスファルトルーフィング２０を介して長手方向が水平となるように固定された瓦座（図示せず）等の上に載置される。
【００２６】
図３及び図５に示すように、Ｆ形瓦１５の上端には下方へ突出する例えば２つのフック部２１が突設されているが、このＦ形瓦１５は、野地板１９上にアスファルトルーフィング２０を介して長手方向が水平となるように固定された瓦桟２２にフック部２１を引掛けるようにして配置され、緊結用釘２３等により瓦桟２２に固着される。Ｆ形瓦１５の野地板１９の面方向に対する葺き勾配θは、５°程度が一般的である。また、図６に示すように、屋根１６の隅棟部１６ａ等においては、Ｆ形瓦１５の所定範囲が斜め方向等に切断された切断瓦として施工される。隅棟部１６ａ等には、取付け桟木２４を介して隅棟瓦２５等が施工される。なお、Ｊ形瓦やＳ形瓦等においては、下段と上段の瓦の配置が左右にずれない桟瓦葺等となるのが一般的である。また、瓦桟２２を長手方向が水平となるように固定する上記のような一般の工法（いわゆる横桟工法）による場合に加え、瓦桟２２を長手方向が屋根勾配の向きに沿うように固定するいわゆる縦桟工法により瓦を施工する場合もある。
【００２７】
瓦屋根積算プログラム１は、上記のような瓦の施工に際しての割り付けをあらかじめコンピュータ上で仮想的に実行し、切断瓦の実寸を算出するものである。なお、割り付ける瓦の種類としては、例えばＦ形瓦１５、Ｊ形瓦、Ｓ形瓦等の粘土瓦の他、各種の厚形スレート、金属板瓦等が挙げられる。また、割り付ける瓦の形状による種類としては、桟瓦の他、例えば軒瓦、袖瓦、角瓦、掛瓦等が挙げられる。
【００２８】
次に、瓦屋根積算プログラム１による処理の手順例を図７及び図８のフローチャートに基づいてより詳細に説明する。
【００２９】
まず、所定の記憶手段（図示せず）から、ＤＸＦ（Drawing Interchange File）形式等のＣＡＤソフト用のファイル形式でこの記憶手段に記録されていた屋根伏せＣＡＤデータがメインメモリ４上に読み込まれる（ステップＳ１）。
【００３０】
屋根伏せＣＡＤデータが記録された記憶手段としては、例えば、ＦＤ（Flexible Disk）、ＣＤ−ＲＯＭ（Compact Disc Read Only Memory）、ＣＤ−Ｒ（Compact Disc Recordable）、ＣＤ−ＲＷ（Compact Disc Rewritable）、ＭＯ（Magneto Optical Disk）等のコンピュータ読み取り可能な記録媒体の他、瓦屋根積算システムのコンピュータがＬＡＮ（Local Area Network）やインターネット等のネットワークを介してアクセス可能な他のコンピュータのハードディスクドライブ（ネットワークドライブ）等が挙げられる。
【００３１】
屋根伏せＣＡＤデータは、瓦を施工しようとする建物の屋根１６の平面図に相当する屋根伏せ図を表すものであり、所定の縮尺で描画された複数の要素線（線分データ）を含んでいる。
【００３２】
次いで、キーボード又はマウス等の入力装置５から、屋根伏せＣＡＤデータの縮尺が入力される（ステップＳ２）。
【００３３】
入力は、キーボード等から例えば「１：１００」又は「１／１００」、「１：３０」又は「１／３０」、「１：１」又は「１／１」等と打ち込むことにより実行してもよいが、ＧＵＩ（Graphical User Interface）環境における表示装置６の画面６ａ上のメニューバー（ツールバー）やマウスの右ボタン（右クリック）等のプルダウンメニュー等に割り当てられた縮尺の上記のような種類をマウス等により選択できるようにしておけば、簡単に実行できる。
【００３４】
その後、制御プログラム９の指令を受けたＣＰＵ３により、メインメモリ４上で屋根伏せＣＡＤデータの縮尺に基づいて屋根伏せＣＡＤデータが実寸スケール（１：１の実物大スケール）に補正され、図９のような屋根伏せ補正ＣＡＤデータ３１が作成されて（ステップＳ３）、表面装置６の画面６ａ上に表示される（ステップＳ４）。
【００３５】
例えば、図９のような寄棟屋根の場合、屋根伏せ補正ＣＡＤデータ３１には、要素線として、１つの陸棟線３２と４つの隅棟線３３と４つの軒瓦線３４とが含まれる。なお、屋根１６の形状としては、寄棟の他、例えば切妻、方形、入母屋等が挙げられる。要素線の種類は特に限定されるものではなく、その他に谷線、右袖瓦線、左袖瓦線、掛瓦線、降棟線、水平壁際線、流れ壁際線、渡根丸線（利根丸線）、風切り丸線等が挙げられる。また、要素線は、直線状の他、曲線状であってもよい。
【００３６】
次いで、マウス等の入力装置５から、各要素線ごとにその種類が指定される（ステップＳ５）。
【００３７】
図９の例においては、陸棟線（要素線）３２は陸棟線として、隅棟線（要素線）３３は隅棟線として、軒瓦線（要素線）３４は軒瓦線として、それぞれ要素線の種類が指定される。指定は、例えば、マウス等により画面６ａ上の適宜の要素線を選択した後又は選択する前に、ＧＵＩ環境における画面６ａ上のメニューバー（ツールバー）やマウスの右ボタン（右クリック）等のプルダウンメニュー等に割り当てられた要素線の種類をマウス等により選択できるようにしておけば、簡単に実行できる。この場合、プルダウンメニュー等には、例えば「陸棟線」、「隅棟線」、「軒瓦線」等の各種の要素線の種類を割り当てることができる。また、屋根面が凸面となった照り（てり）や凹面となった起り（むくり）である場合に対応するために、例えば「隅棟線（照り）」や「隅棟線（起り）」等の種類も指定できるようにしておくのが望ましい。この場合、照りや起りの曲率半径（Ｒ）を加味した例えば「隅棟線（照り：Ｒ＝ＸＸＸＸＸ）」や「隅棟線（起り：Ｒ＝ＸＸＸＸＸ）」等の種類を曲率半径の値に応じて選択できるようにすることもできる。
【００３８】
その後、キーボード又はマウス等の入力装置５から、瓦の種類、屋根勾配、割り付け型が入力される（ステップＳ６〜Ｓ８）。なお、瓦の種類等の入力の順序は特に限定されるものではなく、また、これら瓦の種類等の入力を各要素線ごとの種類の指定（ステップＳ５）の前に実行することもできる。
【００３９】
この場合も、ＧＵＩ環境におけるプルダウンメニュー等に割り当てられた瓦の種類等をマウス等により選択できるようにしておけば、簡単に入力できる。プルダウンメニュー等に割り当てる瓦の種類としては、例えば「Ｆ形瓦」、「Ｊ形瓦」、「Ｓ形瓦」等が挙げられる。同様に、屋根勾配としては、例えば「４／１０」、「３．５／１０」、「３／１０」、「２．５／１０」、「１／１０」等が挙げられる。割り付け型としては、例えば、軒瓦線３４の中点３４ａから最下段の瓦を左右に配置していくいわゆる「対称型」や、軒瓦線３４の中点３４ａに最下段の瓦の中心線等が重なるように配置するいわゆる「中央型」、袖瓦線（図示せず）から最下段の瓦を配置していくいわゆる「切妻型」等が挙げられる。
【００４０】
次いで、制御プログラム９の指令を受けたＣＰＵ３により瓦施工面補正ルールファイル１０が検索され、この瓦施工面補正ルールファイル１０から、要素線の組合せ及び瓦の種類に応じた瓦施工面補正ルールがメインメモリ４上に読み出される（ステップＳ９）。
【００４１】
瓦施工面補正ルールファイル１０は、各種の瓦施工面補正ルールが要素線の組合せ及び瓦の種類に対応付けて記録されている。例えば、図９の例において、瓦の種類として「Ｆ形瓦」を入力すれば、要素線の組合せが「１つの陸棟線３２，４つの隅棟線３３，４つの軒瓦線３４」でありかつ瓦の種類が「Ｆ形瓦」である場合、即ち、寄棟屋根にＦ形瓦１５を施工する場合に対応付けられた瓦施工面補正ルールが読み出される。
【００４２】
その後、制御プログラム９の指令を受けたＣＰＵ３により瓦施工面補正ルール及び屋根勾配に基づいて屋根伏せ補正ＣＡＤデータ３１が補正され、メインメモリ４上に図１０のような瓦施工面ＣＡＤデータ３５が作成される（ステップＳ１０）。
【００４３】
瓦施工面ＣＡＤデータ３５は、瓦施工面補正ルールに基づいて屋根伏せ補正ＣＡＤデータ３１から補正された複数の野地板面１９ａ，１９ｂを含む屋根１６の展開図を、更に瓦施工面補正ルールに基づいて瓦の施工後の投影面である複数の瓦施工面３６ａ，３６ｂを含む展開図に補正したものである。例えば、図９の例においては、まず、屋根伏せ補正ＣＡＤデータ３１が瓦施工面補正ルールに基づいて図１０のような台形の２つの野地板面１９ａと三角形の２つの野地板面１９ｂを含むように補正される。適用される瓦施工面補正ルールには、屋根勾配に基づいて展開図が作成されるように補正を行う計算式等が含まれている。次いで、瓦施工面補正ルールに基づいて各野地板面１９ａ，１９ｂの高さに「Ｆ形瓦」の軒の出寸法Ｅを加算するように補正され、台形の２つの瓦施工面３６ａと三角形の２つの瓦施工面３６ｂを含む瓦施工面ＣＡＤデータ３５が作成される。台形の瓦施工面３６ａは、１つの陸棟線３２と２つの隅棟線３３と１つの軒瓦線３４とを含んでいる。三角形の瓦施工面３６ｂは、２つの隅棟線３３と１つの軒瓦線３４とを含んでいる。
【００４４】
既述したように、瓦施工面補正ルールは要素線の組合せ及び瓦の種類に応じて適用されるので、屋根伏せ補正ＣＡＤデータ３１が例えば右袖瓦線や左袖瓦線を含んでいる場合においては、瓦の袖の出寸法（右袖瓦線等の元の位置からの突出長さ）を横幅に加算等するように補正される。同様に、谷線を含んでいる場合においては、瓦の谷の入り寸法（谷線の元の位置からの横方向への引き込み長さ）を横幅から減算等するように補正される。陸棟線３２を含んでおり、他の瓦の種類を入力した場合等においては、瓦の陸棟の入り寸法（陸棟線３２の元の位置からの縦方向への引き込み長さ）を高さから減算等するように補正される。隅棟線３３を含んでおり、他の瓦の種類を入力した場合等においては、瓦の隅棟の入り寸法（隅棟線３３の元の位置からの横方向への引き込み長さ）を横幅から減算等するように補正される。水平壁際線を含んでおり、他の瓦の種類を入力した場合等においては、瓦の水平壁際の入り寸法（水平壁際線の元の位置からの縦方向への引き込み長さ）を高さから減算等するように補正される。流れ壁際線を含んでおり、他の瓦の種類を入力した場合等においては、瓦の流れ壁際の入り寸法（流れ壁際線の元の位置からの横方向への引き込み長さ）を横幅から減算等するように補正される。渡根丸線を含んでおり、他の瓦の種類を入力した場合等においては、瓦の渡根丸の入り寸法（渡根丸線の元の位置からの横方向への引き込み長さ）を横幅から減算等するように補正される。
【００４５】
なお、軒の出寸法Ｅ等は瓦の種類によっても相違するが、瓦の種類にも応じた瓦施工面補正ルールが適用されるので、適正に瓦施工面ＣＡＤデータ３５に補正される。また、瓦施工面ＣＡＤデータ３５への補正は、実寸スケールのまま実行される。
【００４６】
要素線の種類として既述の「隅棟線（照り：Ｒ＝ＸＸＸＸＸ）」又は「隅棟線（起り：Ｒ＝ＸＸＸＸＸ）」等を指定した場合、即ち、屋根面が照り又は起りである場合は、照り又は起りの曲率半径（Ｒ）に基づいても補正される。
【００４７】
また、作成された瓦施工面ＣＡＤデータ３５は、制御プログラム９の指令を受けたＣＰＵ３により、この段階で表示装置６や印刷装置８に出力することもできる。この場合、図１０のような２次元の展開面に加え、屋根１６の立体形状を容易に把握できるように、３次元の立体図として出力することもできる。
【００４８】
次いで、制御プログラム９の指令を受けたＣＰＵ３により割り付けルールファイル１１が検索され、この割り付けルールファイル１１から、瓦の種類及び割り付け型に応じた割り付けルールがメインメモリ４上に読み出される（ステップＳ１１）。
【００４９】
割り付けルールファイル１１は、各種の割り付けルールが瓦の種類及び割り付け型に対応付けて記録されている。例えば、瓦の種類が「Ｆ形瓦」でありかつ割り付け型が既述の「対称型」である場合、即ち、軒瓦線３４の中点３４ａから最下段のＦ形瓦１５を左右に配置していく場合に対応付けられた割り付けルールが読み出される。割り付けルールには、瓦の種類及び割り付け型に応じ、所定の形状の瓦（桟瓦、軒瓦、袖瓦、角瓦、掛瓦等）を所定の部位に所定の重ね代をとって所定の葺き方で配置するように実行させる指令や計算式等が含まれている。例えば、袖瓦線に沿って袖瓦を配置したり、軒瓦線に沿って軒瓦を配置したり、その他の部位に桟瓦を配置したりするように実行させる。
【００５０】
また、制御プログラム９の指令を受けたＣＰＵ３により瓦ＣＡＤデータファイル１２が検索され、この瓦ＣＡＤデータファイル１２から、瓦の種類及び割り付け型に応じた瓦ＣＡＤデータがメインメモリ４上に読み出される（ステップＳ１２）。
【００５１】
瓦ＣＡＤデータファイル１２は、実寸スケールで描画された各種の瓦ＣＡＤデータが瓦の種類及び割り付け型に対応付けて記録されている。例えば、瓦の種類が「Ｆ形瓦」でありかつ割り付け型が「対称型」である場合は、図１１のような瓦ＣＡＤデータ３７が読み出される。この瓦ＣＡＤデータ３７は、既述の本体部１７とアンダーラップ部１８とを含むＦ形瓦１５の平面図を表すものであり、実寸スケールで作成されている。なお、瓦ＣＡＤデータ３７のうち、本体部１８の所定範囲は、表面に露出する働き面３７ａとなる。また、「Ｆ形瓦」でも他の割り付け型である場合や、瓦の種類が「Ｆ形瓦」以外である場合等においては、桟瓦としての瓦ＣＡＤデータ３７に加え、軒瓦、袖瓦、角瓦、又は掛瓦等としての瓦ＣＡＤデータが読み出されることもある。
【００５２】
その後、制御プログラム９の指令を受けたＣＰＵ３により、図１２及び図１３に示すように、瓦ＣＡＤデータ３７（図１２及び図１３では働き面３７ａのみを示している。）が割り付けルールに基づいてメインメモリ４上の瓦施工面ＣＡＤデータ３５に割り付けられる（ステップＳ１３）。
【００５３】
例えば、図１２及び図１３の例においては、瓦の種類が「Ｆ形瓦」でありかつ割り付け型が「対称型」である場合に応じて読み出された割り付けルールに基づいて瓦ＣＡＤデータ３７が割り付けられている。この例においては、瓦の形状による種類として、全て「Ｆ形瓦」の「桟瓦」に対応した瓦ＣＡＤデータ３７が割り付けられている。割り付けルールには、既述した実際の施工例と同様の配置状態となるような指令や計算式等が含まれている。
【００５４】
なお、上記と同様、制御プログラム９の指令を受けたＣＰＵ３により、割り付けた状態の瓦施工面ＣＡＤデータ３５及び瓦ＣＡＤデータ３７をこの段階で表示装置６や印刷装置８に出力することもできる。
【００５５】
次いで、制御プログラム９の指令を受けたＣＰＵ３により、図１４乃至図１６に示すように、要素線と交差する瓦ＣＡＤデータ３７（図１４乃至図１６では働き面３７ａのみを示している。）にメインメモリ４上で切断瓦番号Ｎが付与される（ステップＳ１４）。
【００５６】
例えば、図１４乃至図１６の例においては、瓦の種類が「Ｆ形瓦」でありかつ割り付け型が「対称型」である場合に応じて読み出された割り付けルールに基づいて、例えば隅棟線３３や陸棟線３２と交差する瓦ＣＡＤデータ３７に「１」、「２」、「３」等の切断瓦番号Ｎが付与される。割り付けルールには、切断瓦番号Ｎを所定の順序で付与するための指令や計算式等が含まれている。
【００５７】
なお、上記と同様、制御プログラム９の指令を受けたＣＰＵ３により、切断瓦番号Ｎを付与した状態の瓦施工面ＣＡＤデータ３５及び瓦ＣＡＤデータ３７を切断瓦番号Ｎと共にこの段階で表示装置６や印刷装置８に出力することもできる。この場合、各切断瓦番号Ｎは、円３８により包囲したいわゆるバルーンナンバーとして出力してもよいし、あるいは、切断瓦番号Ｎ又はバルーンナンバーを各瓦ＣＡＤデータ３７から引出線によりそれぞれ引き出した状態で出力してもよい。
【００５８】
その後、制御プログラム９の指令を受けたＣＰＵ３により実寸算出ルールファイル１３が検索され、この実寸算出ルールファイル１３から、瓦の種類に応じた実寸算出ルールがメインメモリ４上に読み出される（ステップＳ１５）。
【００５９】
次いで、制御プログラム９の指令を受けたＣＰＵ３により、図１７乃至図２２に示すように、各切断瓦ごとに実寸データが算出される（ステップＳ１６）。
【００６０】
実寸算出ルールファイル１３は、各種の実寸算出ルールが瓦の種類に対応付けて記録されている。例えば、瓦の種類が「Ｆ形瓦」である場合、実寸算出ルールには、本体部１７における隅棟線３３や陸棟線３２の下側の部分の「上辺寸法」Ａ、「下辺寸法」Ｂ、「左辺寸法」Ｃ、「右辺寸法」Ｄ、隅棟線３３が瓦ＣＡＤデータ３７のうちのアンダーラップ部１８のみと交差する場合のアンダーラップ部１８における隅棟線３３や陸棟線３２の下側の部分の上辺寸法（「Ｕ上辺寸法」）、下辺寸法（「Ｕ下辺寸法」）ＵＢ、左辺寸法（「Ｕ左辺寸法」）ＵＣ等を採寸するように実行させる指令や計算式等が含まれている。
【００６１】
ここで、ＣＰＵ３に、制御プログラム９の指令を受けて、下辺寸法Ｂ等の切断瓦の実寸データがあらかじめ設定（相対値又は絶対値による設定）していた設定値以下の場合はその切断瓦の切断瓦番号Ｎを削除する手順と、各切断瓦の切断瓦番号Ｎをリナンバする手順とを実行させるように構成すれば、実際の施工時には使用しない切断瓦についての実寸データの算出を防止できるという利点がある。
【００６２】
その後、制御プログラム９の指令を受けたＣＰＵ３により実寸補正ルールファイル１４が検索され、この実寸補正ルールファイル１４から、瓦の種類に応じた実寸補正ルールがメインメモリ４上に読み出される（ステップＳ１７）。
【００６３】
実寸補正ルールファイル１４は、各種の実寸補正ルールが瓦の種類に対応付けて記録されている。例えば、瓦の種類が「Ｆ形瓦」である場合、実寸補正ルールには、既述のＦ形瓦１５の葺き勾配θに基づいて実寸データの補正を行う計算式等が含まれている。
【００６４】
次いで、制御プログラム９の指令を受けたＣＰＵ３により、実寸補正ルールに基づいて各実寸データがそれぞれ補正され、各切断瓦ごとに実寸補正データが算出される（ステップＳ１８）。
【００６５】
ここで、必要に応じて、制御プログラム９の指令を受けたＣＰＵ３により、既述の瓦切断機を制御する制御装置へ実寸補正データをＣＡＭ（Computer Aided Manufacturing）データとして転送する手順（ステップＳ１９）を実行させるように構成すれば、ＣＡＤ／ＣＡＭシステムを利用して切断瓦の切断作業を自動的に実行させることもできるという利点がある。
【００６６】
その後、制御プログラム９の指令を受けたＣＰＵ３により、実寸補正データを切断瓦に対応付けて図２３のような瓦屋根積算データテーブルが作成され（ステップＳ２０）、表示装置６や印刷装置８に出力されて（ステップＳ２１）、処理が終了する。
【００６７】
上記のように構成された瓦屋根積算システム及び瓦屋根積算プログラム１によれば、瓦を施工する前にあらかじめ切断瓦の実寸を算出できるので、瓦の施工現場で採寸作業や切断作業をその都度行う必要がない。そのため、切断瓦の実寸を算出して工場又は施工現場等で切断作業等を全て終えてから瓦を施工等でき、瓦をより効率良く施工できるという利点がある。
【００６８】
また、瓦屋根積算プログラム１を記録したコンピュータ読み取り可能な記録媒体としておけば、瓦屋根積算プログラム１を適宜のコンピュータのファイル装置に記録（インストール）して簡単に瓦屋根積算システムを構築できるという利点がある。なお、記録媒体には、瓦屋根積算プログラム１と共に、この瓦屋根積算プログラム１をコンピュータのファイル装置に簡単に記録（インストール）するためのインストールプログラム等を記録しておくことができる。このような記録媒体としては、既述と同様、ＦＤ、ＣＤ−ＲＯＭ、ＣＤ−ＲＷ、ＣＤ−Ｒ、ＭＯ等の各種のものが挙げられる。
【００６９】
ここで、瓦屋根積算システムのコンピュータのＣＰＵ３に、制御プログラム９の指令を受けて、切断瓦番号Ｎが付与された瓦ＣＡＤデータ３７の瓦施工面ＣＡＤデータ３５上の位置を計測する手順と、この位置を切断瓦の施工部位として切断瓦に対応付けて瓦屋根積算データテーブルに格納する手順とを実行させるように構成すれば、瓦屋根積算データテーブルの出力により切断瓦の施工部位を簡単に把握できるという利点がある。
【００７０】
切断瓦の施工部位としては、図２３に示すように、例えば「台形１段左」、「台形２段左」、「台形２１段左」、「台形２１段中」、「台形１段右」等が挙げられる。これらは既述の例に対応したものであり、それぞれ切断瓦番号Ｎが「１」、「２」、「４」、「３９」、「４０」、「８６」の切断瓦に対応している。
【００７１】
この場合、ＣＰＵ３に、制御プログラム９の指令を受けて、切断瓦番号Ｎが付与された瓦ＣＡＤデータ３７の形状による種類を切断瓦に対応付けて瓦屋根積算データテーブルに格納する手順を実行させるように構成すれば、瓦屋根積算データテーブルの出力により切断瓦の形状による種類を簡単に把握できるという利点がある。
【００７２】
切断瓦の形状による種類としては、図２３に示す「桟瓦」の他、例えば「軒瓦」、「袖瓦」、「角瓦」、「掛瓦」等が挙げられる。
【００７３】
また、ＣＰＵ３に、制御プログラム９の指令を受けて、切断瓦番号Ｎが付与された瓦ＣＡＤデータ３７の数を集計する手順と、この集計値を切断瓦の数として出力する手順とを実行させるように構成すれば、切断瓦の数を簡単に把握でき、切断を要しない切断不要瓦とは別に切断瓦の管理、運搬、切断作業等を行うこともできるという利点がある。この場合、図２４のような瓦屋根積算データテーブルに、切断瓦の数を例えば「ＸＸＸ枚」等として格納するようにしてもよい。また、上記の処理のいずれかの段階でキーボード等の入力装置５から例えば「ＹＹＹＹＹＹＹＹＹＹ」等の物件名を入力しておき、この物件名を例えば「Ｆ形瓦」等の瓦の種類や例えば「対称型」等の割り付け型と共に、瓦屋根積算データテーブルに格納するようにしてもよい。
【００７４】
更に、ＣＰＵ３に、制御プログラム９の指令を受けて、切断瓦の数を切断瓦の形状による種類ごとに集計する手順と、各集計値を切断瓦の形状による種類ごとの数としてそれぞれ出力する手順とを実行させるように構成すれば、切断瓦の数を、例えば「桟瓦」、「軒瓦」、「袖瓦」、「角瓦」、「掛瓦」等の形状による種類ごとに簡単に把握できるという利点がある。この場合も、図２４のような瓦屋根積算データテーブルに、「桟瓦」等の数を例えば「ＸＸＸ枚」等として格納するようにしてもよい。
【００７５】
また、ＣＰＵ３に、制御プログラム９の指令を受けて、切断瓦番号Ｎが付与されなかった瓦ＣＡＤデータ３７の数を集計する手順と、この集計値を切断不要瓦の数として出力する手順とを実行させるように構成すれば、切断不要瓦の数を簡単に把握でき、切断瓦とは別に切断不要瓦の管理、運搬等を行うこともできるという利点がある。この場合も同様に、図２４のような瓦屋根積算データテーブルに、切断不要瓦の数を例えば「ＸＸＸ枚」等として格納するようにしてもよい。
【００７６】
更に、ＣＰＵ３に、制御プログラム９の指令を受けて、切断不要瓦の数を切断不要瓦の形状による種類ごとに集計する手順と、各集計値を切断不要瓦の形状による種類ごとの数としてそれぞれ出力する手順とを実行させるように構成すれば、切断不要瓦の数をその形状による種類ごとに簡単に把握できるという利点がある。この場合も、図２４のような瓦屋根積算データテーブルに、「桟瓦」等の数を例えば「ＸＸＸ枚」等として格納するようにしてもよい。
【００７７】
加えて、ＣＰＵ３に、制御プログラム９の指令を受けて、切断瓦の数と切断不要瓦の数とを加算する手順と、この加算値を瓦の使用総量として出力する手順とを実行させるように構成すれば、切断瓦の数と切断不要瓦の数との合計としての瓦の使用総量を簡単に把握できるという利点がある。この場合も同様に、図２４のような瓦屋根積算データテーブルに、瓦の使用総量を例えば「合計ＸＸＸ枚」等として格納するようにしてもよい。
【００７８】
更に、ＣＰＵ３に、制御プログラム９の指令を受けて、瓦の使用総量を瓦の形状による種類ごとに集計する手順と、各集計値を瓦の形状による種類ごとの数としてそれぞれ出力する手順とを実行させるように構成すれば、割り付ける瓦の数をその形状による種類ごとに簡単に把握できるという利点がある。この場合も、図２４のような瓦屋根積算データテーブルに、「桟瓦」等の数を例えば「合計ＸＸＸ枚」等として格納するようにしてもよい。
【００７９】
ここで、ＣＰＵ３に、制御プログラム９の指令を受けて、瓦施工面ＣＡＤデータ３５に含まれている各要素線の長さをそれぞれ算出する手順と、各要素線の長さをそれぞれ出力する手順とを実行させるように構成すれば、各要素線の長さを簡単に把握できるという利点がある。この場合も、図２４のような瓦屋根積算データテーブルに、「陸棟線」、「隅棟線▲１▼」、「隅棟線▲２▼」、「隅棟線▲３▼」、「隅棟線▲４▼」、「軒瓦線▲１▼」、「軒瓦線▲２▼」、「軒瓦線▲３▼」、「軒瓦線▲４▼」等の長さを例えば「ＸＸｍ」等として格納するようにしてもよい。図１０の例のように、同じ種類の要素線が複数ある場合は、例えば「▲１▼」、「▲２▼」、「▲３▼」、「▲４▼」等の番号等を付与することにより互いを区別するようにしてもよい（図１０の例では２つの隅棟線３３が１組）。また、制御プログラム９の指令を受けたＣＰＵ３により、各要素線の長さを各要素線からそれぞれ引き出された寸法線等と共に出力してもよい。
【００８０】
また、ＣＰＵ３に、制御プログラム９の指令を受けて、ファイル装置２にあらかじめ記録された役物瓦算出ルールファイル（図示せず）から、上記の処理により画面６ａ上に長さがそれぞれ表示された複数の要素線の中からマウス等の入力装置５により選択された要素線、並びにマウス又はキーボード等の入力装置５から入力された役物瓦の種類、型、段数等に応じた役物瓦算出ルールを読み出す手順と、役物瓦算出ルール及び選択された要素線の長さに基づいてこの要素線に施工される役物瓦の数を算出する手順と、この役物瓦の数を出力する手順とを実行させるように構成すれば、役物瓦の数を簡単に把握できるという利点がある。
【００８１】
役物瓦の種類としては、例えば、隅棟瓦２５等の「隅棟瓦」、「冠瓦」、「のし瓦」、「面戸瓦」、「陸棟鬼瓦」、「陸棟巴瓦」、「隅棟鬼瓦」、「隅棟巴瓦」、「丸瓦」、「軒巴瓦」等が挙げられる。役物瓦の種類に複数の型がある場合は、入力装置５により適宜の型も入力される。また、陸棟線３２、隅棟線３３、水平壁際線、流れ壁際線等に施工される「のし瓦」が入力される場合は、例えば「１段」、「２段」、「３段」、「４段」等ののし瓦を積み上げる段数も併せて入力される。
【００８２】
役物瓦算出ルールファイルは、各種の役物瓦算出ルールが要素線及び役物瓦の少なくとも種類に対応付けて記録されている。例えば、図２５の瓦屋根積算データテーブルが画面６ａ上に表示されている場合において、要素線として「隅棟線▲１▼」を選択し、役物瓦の種類として「隅棟瓦」を入力すれば、隅棟線３３に隅棟瓦２５を施工する場合に対応付けられた役物瓦算出ルールが読み出される。役物瓦の型や段数も入力される場合は、これらにも対応付けられた役物瓦算出ルールが読み出される。適用される役物瓦算出ルールには、選択された要素線の長さに基づいてこの要素線に施工される役物瓦の数を算出する計算式等が含まれている。
【００８３】
なお、この場合も、図２５のような瓦屋根積算データテーブルに、「隅棟瓦」、「冠瓦」等の役物瓦の数を例えば「ＸＸＸ枚」等として格納するようにしてもよい。また、役物瓦の数を、この役物瓦が施工される要素線と対応付けておけば、要素線ごとに役物瓦の数を把握できるので、便利である。
【００８４】
更に、ＣＰＵ３に、制御プログラム９の指令を受けて、瓦施工面ＣＡＤデータ３５に含まれている複数の瓦施工面３６ａ，３６ｂの面積をそれぞれ算出、集計する手順と、瓦施工面３６ａ，３６ｂの総面積値に基づいて工賃や副資材の使用量を算出する手順と、工賃や副資材の使用量を出力する手順とを実行させるように構成すれば、工賃等を簡単に把握できるという利点がある。この場合も、図２４のような瓦屋根積算データテーブルに、工賃を例えば「合計ＸＸＸＸＸＸ円」等として、副資材の使用量を例えば「アスファルトルーフィング（ＸＸＸｍ）」、「瓦桟（ＸＸＸ本）」等としてそれぞれ格納するようにしてもよい。
【００８５】
なお、制御プログラム９には、瓦施工面３６ａ，３６ｂの単位面積当りの工賃や副資材の使用量等が格納されており、瓦施工面３６ａ，３６ｂの総面積値に基づいて工賃や副資材の使用量を算出する計算式等が含まれている。
【００８６】
以上、この実施形態においては、実寸補正データ等を瓦屋根積算プログラム１により算出する場合について説明したが、その他、メインメモリ４上から抽出した実寸データ等を上記と同様にして実寸補正データ等に補正等するための計算式等を含む表計算ソフト用のフォームを例えば瓦の種類や割り付け型等ごとにファイル装置２に記録しておき、瓦屋根積算プログラム１により実寸データ等を算出した後はこのフォームを利用して表計算ソフト上で実寸補正データ等を算出するようにしてもよい。また、瓦屋根積算プログラム１により作成された図２３〜図２５のような瓦屋根積算データテーブルを、ＣＳＶ（Comma Separated Value）形式やＸＬＳ形式等の表計算ソフト用又はデータベースソフト用のファイル形式で保存できるようにしてもよい。
【００８７】
【発明の効果】
以上のように、請求項１及び請求項１６の発明によれば、瓦を施工する前にあらかじめ切断瓦の実寸を算出できるので、瓦の施工現場で採寸作業や切断作業をその都度行う必要がない。そのため、切断瓦の実寸を算出して工場又は施工現場等で切断作業等を全て終えてから瓦を施工等でき、瓦をより効率良く施工できる。
【００８８】
請求項２及び請求項１６の発明によれば、コンピュータに、切断瓦番号が付与された瓦ＣＡＤデータの瓦施工面ＣＡＤデータ上の位置を計測する手順と、この位置を切断瓦の施工部位として切断瓦に対応付けて瓦屋根積算データテーブルに格納する手順とを実行させることもできるので、瓦屋根積算データテーブルの出力により切断瓦の施工部位を簡単に把握できる。
【００８９】
請求項３及び請求項１６の発明によれば、コンピュータに、切断瓦番号が付与された瓦ＣＡＤデータの形状による種類を切断瓦に対応付けて瓦屋根積算データテーブルに格納する手順を実行させることもできるので、瓦屋根積算データテーブルの出力により切断瓦の形状による種類を簡単に把握できる。
【００９０】
請求項４及び請求項１６の発明によれば、コンピュータに、切断瓦番号が付与された瓦ＣＡＤデータの数を集計する手順と、この集計値を切断瓦の数として出力する手順とを実行させることもできるので、切断瓦の数を簡単に把握でき、そのため、切断を要しない切断不要瓦とは別に切断瓦の管理、運搬、切断作業等を行うこともできる。
【００９１】
請求項５及び請求項１６の発明によれば、コンピュータに、切断瓦の数を切断瓦の形状による種類ごとに集計する手順と、各集計値を切断瓦の形状による種類ごとの数としてそれぞれ出力する手順とを実行させることもできるので、切断瓦の数を形状による種類ごとに簡単に把握できる。
【００９２】
請求項６及び請求項１６の発明によれば、コンピュータに、切断瓦番号が付与されなかった瓦ＣＡＤデータの数を集計する手順と、この集計値を切断不要瓦の数として出力する手順とを実行させることもできるので、切断不要瓦の数を簡単に把握でき、そのため、切断瓦とは別に切断不要瓦の管理、運搬等を行うこともできる。
【００９３】
請求項７及び請求項１６の発明によれば、コンピュータに、切断不要瓦の数を切断不要瓦の形状による種類ごとに集計する手順と、各集計値を切断不要瓦の形状による種類ごとの数としてそれぞれ出力する手順とを実行させることもできるので、切断不要瓦の数をその形状による種類ごとに簡単に把握できる。
【００９４】
請求項８及び請求項１６の発明によれば、コンピュータに、切断瓦の数と切断不要瓦の数とを加算する手順と、この加算値を瓦の使用総量として出力する手順とを実行させることもできるので、切断瓦の数と切断不要瓦の数との合計としての瓦の使用総量を簡単に把握できる。
【００９５】
請求項９及び請求項１６の発明によれば、コンピュータに、瓦の使用総量を瓦の形状による種類ごとに集計する手順と、各集計値を瓦の形状による種類ごとの数としてそれぞれ出力する手順とを実行させることもできるので、割り付ける瓦の数をその形状による種類ごとに簡単に把握できる。
【００９６】
請求項１０及び請求項１６の発明によれば、コンピュータに、切断瓦の実寸データがあらかじめ設定していた設定値以下のときはその切断瓦の切断瓦番号を削除する手順と、各切断瓦の切断瓦番号をリナンバする手順とを実行させることもできるので、実際の施工時には使用しない切断瓦についての実寸データの算出を防止できる。
【００９７】
請求項１１及び請求項１６の発明によれば、コンピュータに、瓦切断機を制御する制御装置へ実寸補正データをＣＡＭデータとして転送する手順を実行させることもできるので、ＣＡＤ／ＣＡＭシステムを利用して切断瓦の切断作業を自動的に実行させることもできる。
【００９８】
請求項１２及び請求項１６の発明によれば、コンピュータに、瓦施工面ＣＡＤデータに含まれている各要素線の長さをそれぞれ算出する手順と、各要素線の長さをそれぞれ出力する手順とを実行させることもできるので、各要素線の長さを簡単に把握できる。
【００９９】
請求項１３及び請求項１６の発明によれば、コンピュータに、役物瓦算出ルールファイルから、画面上に長さがそれぞれ表示された複数の要素線の中から入力装置により選択された要素線、並びに入力装置から入力された役物瓦の少なくとも種類に応じた役物瓦算出ルールを読み出す手順と、役物瓦算出ルール及び選択された要素線の長さに基づいてこの要素線に施工される役物瓦の数を算出する手順と、この役物瓦の数を出力する手順とを実行させることもできるので、役物瓦の数を簡単に把握できる。
【０１００】
請求項１４及び請求項１６の発明によれば、コンピュータに、瓦施工面ＣＡＤデータに含まれている複数の瓦施工面の面積をそれぞれ算出、集計する手順と、瓦施工面の総面積値に基づいて工賃や副資材の使用量を算出する手順と、工賃や副資材の使用量を出力する手順とを実行させることもできるので、工賃等を簡単に把握できる。
【０１０１】
請求項１５の発明によれば、瓦屋根積算プログラムを記録したコンピュータ読み取り可能な記録媒体であるので、上記の効果に加え、瓦屋根積算プログラムを適宜のコンピュータのファイル装置に記録（インストール）して簡単に瓦屋根積算システムを構築できる。
【図面の簡単な説明】
【図１】実施形態に係る瓦屋根積算システムのシステム構成図。
【図２】Ｆ形瓦の表側を示す斜視図。
【図３】Ｆ形瓦の裏側を示す斜視図。
【図４】Ｆ形瓦の施工例を示す斜視図。
【図５】Ｆ形瓦を施工した状態を示す要部拡大縦断面図。
【図６】屋根の隅棟部付近を示す斜視図。
【図７】瓦屋根積算プログラムによる処理の手順例を示すフローチャート。
【図８】瓦屋根積算プログラムによる処理の手順例を示すフローチャート。
【図９】屋根伏せ補正ＣＡＤデータを表示装置の画面上に表示した状態を示す説明図。
【図１０】瓦施工面ＣＡＤデータを示す説明図。
【図１１】瓦ＣＡＤデータを示す説明図。
【図１２】台形の瓦施工面に瓦ＣＡＤデータを割り付けた状態を示す説明図。
【図１３】三角形の瓦施工面に瓦ＣＡＤデータを割り付けた状態を示す説明図。
【図１４】台形の瓦施工面における隅棟線の左下側付近の要部拡大説明図。
【図１５】台形の瓦施工面における隅棟線の左上側付近の要部拡大説明図。
【図１６】台形の瓦施工面における隅棟線の右下側付近の要部拡大説明図。
【図１７】切断瓦番号が「１」である瓦ＣＡＤデータの説明図。
【図１８】切断瓦番号が「２」である瓦ＣＡＤデータの説明図。
【図１９】切断瓦番号が「４」である瓦ＣＡＤデータの説明図。
【図２０】切断瓦番号が「３９」である瓦ＣＡＤデータの説明図。
【図２１】切断瓦番号が「４０」である瓦ＣＡＤデータの説明図。
【図２２】切断瓦番号が「８６」である瓦ＣＡＤデータの説明図。
【図２３】瓦屋根積算データテーブルの一例を示す説明図。
【図２４】瓦屋根積算データテーブルの他例を示す説明図。
【図２５】瓦屋根積算データテーブルの他例を示す説明図。
【符号の説明】
１  瓦屋根積算プログラム
２  ファイル装置
５  入力装置
６  表示装置
６ａ  画面
１０  瓦施工面補正ルールファイル
１１  割り付けルールファイル
１２  瓦ＣＡＤデータファイル
１３  実寸算出ルールファイル
１４  実寸補正ルールファイル
１５  Ｆ形瓦（瓦）
１６  屋根
１６ａ  隅棟部
３１  屋根伏せ補正ＣＡＤデータ
３２  陸棟線（要素線）
３３  隅棟線（要素線）
３４  軒瓦線（要素線）
３５  瓦施工面ＣＡＤデータ
３６ａ，３６ｂ  瓦施工面
３７  瓦ＣＡＤデータ
Ｎ  切断瓦番号
【図１】
0003962833.tif 000002
【図２】
0003962833.tif 000003
【図３】
0003962833.tif 000004
【図４】
0003962833.tif 000005
【図５】
0003962833.tif 000006
【図６】
0003962833.tif 000007
【図７】
0003962833.tif 000008
【図８】
0003962833.tif 000009
【図９】
0003962833.tif 000010
【図１０】
0003962833.tif 000011
【図１１】
0003962833.tif 000012
【図１２】
0003962833.tif 000013
【図１３】
0003962833.tif 000014
【図１４】
0003962833.tif 000015
【図１５】
0003962833.tif 000016
【図１６】
0003962833.tif 000017
【図１７】
0003962833.tif 000018
【図１８】
0003962833.tif 000019
【図１９】
0003962833.tif 000020
【図２０】
0003962833.tif 000021
【図２１】
0003962833.tif 000022
【図２２】
0003962833.tif 000023
【図２３】
0003962833.tif 000024
【図２４】
0003962833.tif 000025
【図２５】
0003962833.tif 000026